(57)【要約】【課題】  画像同士の合成処理を容易な操作で行うことができる画像処理装置、画像処理方法及び画像処理プログラムを提供する。【解決手段】  まず、合成対象となる画像７０及びテンプレート７２がタッチされて、画像７０及びテンプレート７２が指定される（ステップＳ１０）。次に、ドラッグ操作により、画像７０及びテンプレート７２を移動させる（ステップＳ１２）。その次に、画像７０とテンプレート７２の距離が閾値以下かどうか判断される（ステップＳ１４）。ステップＳ１４において、画像７０とテンプレート７２の移動終了後の距離が閾値より大きい場合、画像の合成処理は行われない（ステップＳ１６）。一方、ステップＳ１４において、画像７０とテンプレート７２の距離が閾値以下になった場合、画像の合成処理が行われ（ステップＳ１８）、合成された画像が表示部１２に出力される（ステップＳ２０）。【選択図】      図６
2006033605.tif 000002
【特許請求の範囲】
【請求項１】
画像を取得する画像取得手段と、
前記画像と合成するためのテンプレートを記憶する記憶手段と、
前記画像取得手段により取得された画像及びテンプレートを表示する画像表示手段と、
前記画像表示手段上の任意の点を指示するポインティングデバイスと、
前記画像表示手段上の画像とテンプレートが同時に指示された場合に、前記画像とテンプレートとの間の距離を算出する距離算出手段と、
前記画像とテンプレートが略同時にドラッグされて、前記画像表示手段上における互いの距離が所定値以下になった場合に、前記画像とテンプレートを合成する画像合成手段と、
を備えることを特徴とする画像処理装置。
【請求項２】
前記画像合成手段は、前記画像とテンプレートの距離が所定値以下で、前記画像とテンプレートが同時にクリックされた場合に、前記画像とテンプレートを合成することを特徴とする請求項１記載の画像処理装置。
【請求項３】
画像を取得する画像取得手段と、
前記画像と合成するためのテンプレートを記憶する記憶手段と、
前記画像取得手段により取得された画像及びテンプレートを表示する画像表示手段と、
前記画像表示手段上の任意の点を指示するポインティングデバイスと、
前記ポインティングデバイスにより前記画像表示手段上の点がドラッグされた場合に、前記ドラッグ操作の軌跡を検知する軌跡検知手段と、
前記画像とテンプレートが略同時にドラッグされて、前記画像とテンプレートのドラッグ操作の移動方向ベクトルが略平行になった場合に、前記画像とテンプレートを合成する画像合成手段と、
を備えることを特徴とする画像処理装置。
【請求項４】
前記画像表示手段上の画像とテンプレートが同時に指示された場合に、前記画像とテンプレートとの間の距離を算出する距離算出手段を更に備え、
前記画像合成手段は、前記画像とテンプレートの間の距離が所定値以下になった場合に、前記画像とテンプレートを合成することを特徴とする請求項３記載の画像処理装置。
【請求項５】
前記テンプレートは、音楽ファイルであり、
前記画像と前記音楽ファイルが合成された合成画像が再生されたときに、音楽を出力する出力手段を更に備えることを特徴とする請求項１から４のいずれか１項記載の画像処理装置。
【請求項６】
前記ポインティングデバイスは、前記画像表示手段上に配設された、多点認識機能を有するタッチパネルであることを特徴とする請求項１から５のいずれか１項記載の画像処理装置。
【請求項７】
画像を取得するステップと、
前記画像、及び前記画像と合成するためのテンプレートを画像表示手段に表示させるステップと、
前記画像とテンプレートが同時に指示された場合に、前記画像とテンプレートとの間の距離を算出するステップと、
前記画像とテンプレートが略同時にドラッグされて、前記画像表示手段上における互いの距離が所定値以下になった場合に、前記画像とテンプレートを合成するステップと、
を備えることを特徴とする画像処理方法。
【請求項８】
画像を取得するステップと、
前記画像、及び前記画像と合成するためのテンプレートを表示させるステップと、
前記画像及びテンプレートがドラッグされた場合に、前記ドラッグ操作の軌跡を検知するステップと、
前記画像とテンプレートが略同時にドラッグされて、前記画像とテンプレートのドラッグ操作の移動方向ベクトルが略平行になった場合に、前記画像とテンプレートを合成するステップと、
を備えることを特徴とする画像処理方法。
【請求項９】
画像を取得する機能と、
前記画像と合成するためのテンプレートを記憶する機能と、
画像表示手段に前記画像及びテンプレートを表示する機能と、
前記画像表示手段上の任意の点を指示する機能と、
前記画像表示手段上の画像とテンプレートが同時に指示された場合に、前記画像とテンプレートとの間の距離を算出する機能と、
前記画像とテンプレートが略同時にドラッグされて、前記画像表示手段上における互いの距離が所定値以下になった場合に、前記画像とテンプレートを合成する機能と、
をコンピュータに実現させることを特徴とする画像処理プログラム。
【請求項１０】
画像を取得する機能と、
前記画像と合成するためのテンプレートを記憶する機能と、
画像表示手段に前記画像及びテンプレートを表示する機能と、
前記画像表示手段上の任意の点を指示する機能と、
前記画像表示手段上の点がドラッグされた場合に、前記ドラッグ操作の軌跡を検知する機能と、
前記画像とテンプレートが略同時にドラッグされて、前記画像とテンプレートのドラッグ操作の移動方向ベクトルが略平行になった場合に、前記画像とテンプレートを合成する機能と、
をコンピュータに実現させることを特徴とする画像処理プログラム。
【発明の詳細な説明】
【技術分野】
【０００１】
本発明は画像処理装置、画像処理方法及び画像処理プログラムに係り、特にデジタル画像とテンプレートの合成を行う画像処理装置、画像処理方法及び画像処理プログラムに関する。
【背景技術】
【０００２】
従来、デジタル画像をデジタル画像に装飾効果を与えるテンプレートと合成する技術が開発されている。例えば、特許文献１には、動画像データや静止画像データ、音声データを、これらのデータに装飾効果を付与する動画テンプレートに合成して合成動画像データを生成する動画像合成方法について開示されている。
【特許文献１】特開２００３−２８３９９４号公報
【発明の開示】
【発明が解決しようとする課題】
【０００３】
しかしながら、上記特許文献１に開示された動画像合成方法によれば、合成対象となるデジタル画像とテンプレートの合成を行う際に、画像やテンプレートの指定や各種の指示入力のためのボタンを何度もクリックする必要があり、操作が煩雑であるという問題があった。
【０００４】
本発明はこのような事情に鑑みてなされたもので、画像同士の合成処理を容易な操作で行うことができる画像処理装置、画像処理方法及び画像処理プログラムを提供することを目的とする。
【課題を解決するための手段】
【０００５】
上記目的を達成するために請求項１の画像処理装置は、画像を取得する画像取得手段と、前記画像と合成するためのテンプレートを記憶する記憶手段と、前記画像取得手段により取得された画像及びテンプレートを表示する画像表示手段と、前記画像表示手段上の任意の点を指示するポインティングデバイスと、前記画像表示手段上の画像とテンプレートが同時に指示された場合に、前記画像とテンプレートとの間の距離を算出する距離算出手段と、前記画像とテンプレートが略同時にドラッグされて、前記画像表示手段上における互いの距離が所定値以下になった場合に、前記画像とテンプレートを合成する画像合成手段とを備えることを特徴とする。
【０００６】
請求項１に係る画像処理装置によれば、多点認識により画像とテンプレートを同時にドラッグして近づけるだけで合成処理を行うことができるため、画像の合成時の操作入力が容易になる。
【０００７】
請求項２に示すように請求項１に係る画像処理装置において、前記画像合成手段は、前記画像とテンプレートの距離が所定値以下で、前記画像とテンプレートが同時にクリックされた場合に、前記画像とテンプレートを合成することを特徴とする。
【０００８】
請求項３に係る画像処理装置は、画像を取得する画像取得手段と、前記画像と合成するためのテンプレートを記憶する記憶手段と、前記画像取得手段により取得された画像及びテンプレートを表示する画像表示手段と、前記画像表示手段上の任意の点を指示するポインティングデバイスと、前記ポインティングデバイスにより前記画像表示手段上の点がドラッグされた場合に、前記ドラッグ操作の軌跡を検知する軌跡検知手段と、前記画像とテンプレートが略同時にドラッグされて、前記画像とテンプレートのドラッグ操作の移動方向ベクトルが略平行になった場合に、前記画像とテンプレートを合成する画像合成手段とを備えることを特徴とする。
【０００９】
請求項４に示すように請求項３に係る画像処理装置において、前記画像表示手段上の画像とテンプレートが同時に指示された場合に、前記画像とテンプレートとの間の距離を算出する距離算出手段を更に備え、前記画像合成手段は、前記画像とテンプレートの間の距離が所定値以下になった場合に、前記画像とテンプレートを合成することを特徴とする。
【００１０】
請求項５に示すように請求項１から４に係る画像処理装置において、前記テンプレートは、音楽ファイルであり、前記画像と前記音楽ファイルが合成された合成画像が再生されたときに、音楽を出力する出力手段を更に備えることを特徴とする。
【００１１】
請求項６に示すように請求項１から５に係る画像処理装置において、前記ポインティングデバイスは、前記画像表示手段上に配設された、多点認識機能を有するタッチパネルであることを特徴とする。
【００１２】
請求項６に係る画像処理装置によれば、ポインティングデバイスとして多点認識機能を有するタッチパネルを用いているため、画像とテンプレートを同時にタッチ操作することができる直観的なＧＵＩを提供することができる。
【００１３】
請求項７に係る画像処理方法は、画像を取得するステップと、前記画像、及び前記画像と合成するためのテンプレートを画像表示手段に表示させるステップと、前記画像とテンプレートが同時に指示された場合に、前記画像とテンプレートとの間の距離を算出するステップと、前記画像とテンプレートが略同時にドラッグされて、前記画像表示手段上における互いの距離が所定値以下になった場合に、前記画像とテンプレートを合成するステップとを備えることを特徴とする。
【００１４】
請求項８に係る画像処理方法は、画像を取得するステップと、前記画像、及び前記画像と合成するためのテンプレートを表示させるステップと、前記画像及びテンプレートがドラッグされた場合に、前記ドラッグ操作の軌跡を検知するステップと、前記画像とテンプレートが略同時にドラッグされて、前記画像とテンプレートのドラッグ操作の移動方向ベクトルが略平行になった場合に、前記画像とテンプレートを合成するステップとを備えることを特徴とする。
【００１５】
請求項９に係る画像処理プログラムは、画像を取得する機能と、前記画像と合成するためのテンプレートを記憶する機能と、画像表示手段に前記画像及びテンプレートを表示する機能と、前記画像表示手段上の任意の点を指示する機能と、前記画像表示手段上の画像とテンプレートが同時に指示された場合に、前記画像とテンプレートとの間の距離を算出する機能と、前記画像とテンプレートが略同時にドラッグされて、前記画像表示手段上における互いの距離が所定値以下になった場合に、前記画像とテンプレートを合成する機能とをコンピュータに実現させることを特徴とする。
【００１６】
請求項１０に係る画像処理プログラムは、画像を取得する機能と、前記画像と合成するためのテンプレートを記憶する機能と、画像表示手段に前記画像及びテンプレートを表示する機能と、前記画像表示手段上の任意の点を指示する機能と、前記画像表示手段上の点がドラッグされた場合に、前記ドラッグ操作の軌跡を検知する機能と、前記画像とテンプレートが略同時にドラッグされて、前記画像とテンプレートのドラッグ操作の移動方向ベクトルが略平行になった場合に、前記画像とテンプレートを合成する機能とをコンピュータに実現させることを特徴とする。
【発明の効果】
【００１７】
本発明によれば、直観的なＧＵＩにより画像とテンプレートの合成や、合成画像の元の画像とテンプレートへの分離を行うことができる。また、本発明においては、ポインティングデバイスとして多点認識機能を有するタッチパネルを用いることにより、画像とテンプレートを同時にタッチ操作することができ、直観的なＧＵＩで画像の合成を行うことができる。さらに、後述するように、好ましくは本発明の画像処理装置のように、テーブルの表面にタッチパネルが略水平に配設されている場合は、特に略垂直に配設されたタッチパネルに比べ、利用者の腕にかかる負担が軽くなり、画像の加工や印刷等の時間のかかる処理でも楽な姿勢で行うことができる。
【発明を実施するための最良の形態】
【００１８】
以下、添付図面に従って本発明に係る画像処理装置、画像処理方法及び画像処理プログラムの好ましい実施の形態について説明する。図１は、本発明の一実施形態に係る画像処理装置を示すブロック図である。画像処理装置１０は、喫茶店やレストラン等の店舗に設置されるもので、画像表示テーブル１２と、プリンタ１４と、店員用の入出力装置や店内カメラ、ＰＯＳレジ等を含む店内システム１６と、システム制御や画像処理に係るプログラムや利用者の画像と合成されるテンプレート等を含むサーバ１８とを備えており、これらはハブ２０を介してＬＡＮ接続されている。なお、本実施形態では、スター型ＬＡＮが示されているが、バス型ＬＡＮやリング型ＬＡＮでもよい。また、有線ＬＡＮ及び無線ＬＡＮのいずれでもよい。
【００１９】
図２は、本発明の一実施形態に係る画像表示テーブルを示す斜視図である。図２に示すように、本実施形態の画像表示テーブル１２は円卓であり、表面に画像を表示する表示部３０が設けられている。表示部３０は、例えば、有機ＥＬ（electro-luminescence）や液晶ディスプレイ（ＬＣＤ）、電子ペーパー等である。
【００２０】
また、図２に示すように、表示部３０の図における下面には、利用者の画像の入出力を行うメディアリーダ／ライタ（図４の符号４２）等を備える入出力部３２が取り付けられている。
【００２１】
なお、図２に示す画像表示テーブル１２は円卓であるが、本発明はこれに限定されるものではなく、四角いテーブルやカウンタテーブルであってもよい。
【００２２】
図３は、本発明の一実施形態に係る画像表示テーブルの構成を示すブロック図である。図３に示す画像表示テーブル１２は、上述の表示部３０と、入出力部３２と、操作部３４と、中央処理装置（ＣＰＵ）３６と、メモリ３８と、通信Ｉ／Ｆ４０とを含んでいる。
【００２３】
ＣＰＵ３６は、画像表示テーブル１２を統括制御する制御部である。ＣＰＵ３６は、操作部３４等からの入力に基づいて画像表示テーブル１２の動作を制御する。なお、ＣＰＵ３６はサーバ１８が兼ねていてもよい。
【００２４】
操作部３４は、画像表示テーブル１２を操作するためのタッチパネルであり、多点認識機能を有している。なお、本実施形態では、操作部３４をタッチパネルとしたが、ペンタブレットやマウス、タッチパッド等のポインティングデバイスであってもよい。
【００２５】
メモリ３８には、ＣＰＵ３６が処理するプログラム及び制御に必要な各種データ等が格納されるＲＯＭや、入出力部３２を介して入力した画像データが格納される記憶領域及びＣＰＵ３６が各種の演算処理等を行う作業用領域となるＳＤＲＡＭ（Synchronous Dynamic RAM）等が含まれている。
【００２６】
通信Ｉ／Ｆ４０は、ＬＡＮに接続するための機器で、所定のプロトコルにしたがって各種データの送受信を行う。
【００２７】
なお、本実施形態の画像表示テーブル１２には、テーブルの表面にタッチパネルが略水平に配設されているが、水平でなくてもよい。但し、好ましくは本実施形態の画像表示テーブル１２のように、テーブルの表面にタッチパネルが略水平に配設されている場合、特に略垂直に配設されたタッチパネルに比べ、利用者の腕にかかる負担が軽くなるため、画像の加工や印刷等の時間のかかる処理でも楽な姿勢で行うことができる。
【００２８】
図４は、入出力部３２を拡大して示す斜視図である。入出力部３２は、記録メディアに画像データを入出力するメディアリーダ／ライタ４２と、音声入出力用のジャック４４とを備えている。メディアリーダ／ライタ４２は、ｘＤピクチャカードやコンパクトフラッシュ（ＣＦ）カード、スマートメディア、ＳＤメモリカード（登録商標）、ＰＣカード等の半導体メモリ、フレキシブルディスクや光磁気（ＭＯ）ディスク、ＣＤ−Ｒ／ＲＷ、ＤＶＤ−ＲＡＭ、ＤＶＤ−Ｒ／ＲＷ等の各種記録メディアに対応している。なお、図４においては、メディアリーダ／ライタ４２は１つの記録メディア挿入口として簡略化されている。
【００２９】
また、入出力部３２は、有線通信やＩｒＤＡ（Infrared Data Association）やBluetooth等の無線通信に対応しており、デジタルカメラやカメラ付き携帯電話等との間で直接画像データを送受信することもできる。
【００３０】
なお、図４には、音声入出力用のジャックが示されているが、別に音声出力用のスピーカやマイク等を備えていてもよい。
【００３１】
以下、画像処理装置１０の利用方法について説明する。利用者がメディアリーダ／ライタ４２に記録メディアを挿入すると、記録メディアに記録されているデジタル画像が読み取られ、表示部３０に読み取られた画像が一覧表示される。
【００３２】
利用者は、操作部（タッチパネル）３４にタッチすることにより、画像の表示位置の移動、拡大／縮小、印刷指示、セーブ／消去又は動画再生等の操作を行う。なお、利用者が操作部３４にタッチすると、タッチされた点の周囲に波紋状の表示が広がり、タッチ操作が検知されたことが示される。この波紋状の表示は、ドラッグ操作に追随して表示され、また所定の時間圧力が加わっている点の周囲では波紋が減衰して消えるなど、通常の水面の波紋と略同様の表示となっており、利用者は自分のタッチ操作入力が画像表示テーブル１２によりちゃんと検知されているか認識することができる。また、この波紋状の表示は、タッチ圧力により広がっていく範囲や色合いが異なるため、利用者はタッチ圧力を認識できる。
【００３３】
また、音声付の画像の場合にはジャック４４（図４参照）を利用して音声を聞くこともできる。また、利用者は、操作部３４を操作して、画像への書き込み、画像の色合い等の調整、画像とテンプレート等との合成、シールやインデックスプリントの作成、ジャック４４からの音声入力等、さまざまな加工を施すことができる。
【００３４】
なお、利用者が持ち込んだ画像のほかに、例えば、店内（例えば、画像表示テーブル１２上）にカメラ（定点カメラ）等を設置して、このカメラによって撮影された画像についても上述のような操作等が行えるようにしてもよい。
【００３５】
利用者はメディアリーダ／ライタ４２により加工した画像データをファイル出力して持ち帰ることができる。また、図１に示すプリンタ１４には通常の印刷用紙のほかラメ加工やシール加工等が施された用紙が搭載されており、各利用者は所望の用紙を選択して印刷することができる。なお、本実施形態においては、プリンタ１４は画像表示テーブル１２ごとに１台ずつ設置されていてもよい。
【００３６】
以下、画像とテンプレートを合成する方法について説明する。図５は画像とテンプレートを合成する方法を模式的に示す図であり、図６は画像とテンプレートを合成する方法を示すフローチャートである。
【００３７】
まず、利用者が画像表示テーブル１２に着席して、メディアリーダ／ライタ４２に記録メディアを挿入すると、記録メディアに記録されている利用者のデジタル画像が画像表示テーブル１２に入力され、表示部３０に表示される。次に、利用者が操作部３４を操作することにより、サーバ１８からテンプレートのデータが読み出されて、表示部３０に表示される。なお、テンプレートは、画像表示テーブル１２のメモリ３８に記憶されていてもよい。
【００３８】
そして、図５（ａ）に示すように、合成対象となる画像７０及びテンプレート７２にタッチすると、タッチされた点の周囲に波紋状の表示５０が広がっていき、利用者のタッチ操作入力が検知されたことが示されるとともに、画像７０及びテンプレート７２が指定される（ステップＳ１０）。次に、図５（ｂ）に示すように、画像７０及びテンプレート７２をドラッグする（ステップＳ１２）。
【００３９】
その次に、画像７０とテンプレート７２の距離が閾値以下かどうか（画像の合成条件）判断される（ステップＳ１４）。ステップＳ１４における画像の合成条件は、画像７０とテンプレート７２の中心の座標をそれぞれ（ｘｎ，ｙｎ）、（ｘｍ，ｙｍ）とすると、下記の式（１）で表される。なお、式（１）において、閾値Ｔｘ，Ｔｙは、表示部３０や画像の大きさに応じて設定される定数で、Ｔｘ，Ｔｙ≧０である。
【００４０】
｜ｘｎ−ｘｍ｜≦Ｔｘ，かつ，｜ｙｎ−ｙｍ｜≦Ｔｙ          （１）
また、ステップＳ１４における画像の合成条件としては、下記の式（２）を用いてもよい。なお、式（２）において、閾値ＴＬは、表示部３０や画像の大きさに応じて設定される定数で、ＴＬ≧０である。
【００４１】
（ｘｎ−ｘｍ）２＋（ｙｎ−ｙｍ）２≦ＴＬ                    （２）
ステップＳ１４において、画像７０とテンプレート７２の移動終了後の距離が閾値より大きい場合、画像の合成処理は行われない（ステップＳ１６）。一方、画像７０とテンプレート７２の距離が閾値以下になった場合、画像の合成処理が行われ（ステップＳ１８）、合成された画像が表示部１２に出力される（ステップＳ２０）。
【００４２】
上記のように、本実施形態においては、多点認識機能を有するタッチパネルを用いることにより、画像とテンプレートを同時にタッチ操作することができるため、利用者は画像７０とテンプレート７２の合成処理を直観的な操作で容易に行うことができる。
【００４３】
次に、画像の合成条件の異なる例について説明する。図７は第２の合成条件により画像とテンプレートを合成する方法を模式的に示す図であり、図８は第２の合成条件により画像とテンプレートを合成する方法を示すフローチャートである。
【００４４】
まず、図７に示すように、合成対象となる画像７０及びテンプレート７２にタッチして指定し（ステップＳ３０）、画像７０及びテンプレート７２をドラッグする（ステップＳ３２）。なお、図７では、波紋状の表示は省略されている。
【００４５】
その次に、画像７０とテンプレート７２の移動方向が略平行かどうか（合成条件１）判断される（ステップＳ３４）。ステップＳ３４においては、画像７０とテンプレート７２の移動方向を示すベクトルの外積の絶対値から判断される。図７に示すベクトルの成分表示から、この合成条件１は下記の式（３）により表される。なお、Ｓは閾値であり、Ｓ≧０である。
【００４６】
｜ｍ１ｎ２−ｍ２ｎ１｜≦Ｓ                                （３）
ステップＳ３４において、画像７０とテンプレート７２の移動方向ベクトルの外積の絶対値が閾値Ｓより大きい場合（移動方向ベクトルが略平行でない場合）、画像の合成処理は行われない（ステップＳ３６）。一方、画像７０とテンプレート７２の移動方向ベクトルの外積の絶対値が閾値Ｓ以下の場合（移動方向ベクトルが略平行の場合）、次いで画像７０とテンプレート７２の距離が閾値以下かどうか（合成条件２）判断される（ステップＳ３８）。ステップＳ３８における画像の合成条件２は、上記図６のステップＳ１４と同様である。
【００４７】
ステップＳ３８において、画像７０とテンプレート７２の移動終了後の距離が閾値より大きい場合、画像の合成処理は行われない（ステップＳ３６）。一方、画像７０とテンプレート７２の距離が閾値以下になった場合、画像の合成処理が行われ（ステップＳ４０）、合成された画像が表示部１２に出力される（ステップＳ４２）。
【００４８】
次に、画像の合成条件の第３の例について説明する。図９は、第３の合成条件により画像とテンプレートを合成する方法を模式的に示す図である。まず、図９（ａ）に示すように、テンプレート７２にタッチして、合成したい画像７０の方向へドラッグする。次に、図９（ｂ）に示すように、画像７０とテンプレート７２の互いに重なり合った部分を２本の指でクリックする。これにより、画像７０とテンプレート７２が合成される。なお、この場合、クリックの回数や指の本数は上記に限定されるものではない。
【００４９】
ここで、画像とテンプレートの合成例について説明する。図１０は、画像とテンプレートの合成画像の例を示す図である。
【００５０】
図１０（ａ）は、富士山の画像を含む静止画テンプレート７２に人物を含む静止画像７０を合成する例を示している。この場合、人物と富士山が写った合成画像７４が作成される。
【００５１】
図１０（ｂ）は、ニュースキャスターの画像を含む動画テンプレート７２に人物（赤ちゃん）を含む動画像７０を合成する例を示している。この場合、動画テンプレート７２の画像合成領域７６（ニュース番組等でニュース画像等が表示される領域）に赤ちゃんの動画像７０がはめ込まれて、あたかもニュース番組のような合成画像７４が作成される。なお、利用者は、ジャック４４にマイク等を接続して合成画像７４のニュースキャスターのセリフを吹き込むこともできる。
【００５２】
図１０（ｃ）は、人物を含む静止画像７０から顔認識モジュールにより人物の顔の部分を切り出して大きさを調整し、スーツ姿の人物の胴体部分の静止画像を含む着せ替えテンプレート７２に合成する例を示している。
【００５３】
図１０（ｄ）は、画像７０を音楽テンプレート（音楽ファイル）と合成する例を示している。この場合、画像７０と音楽ファイルのアイコン７２とをドラッグして合成することにより、音声の再生ボタンや停止ボタン、音量調節ボタン等の操作部７８を含む合成画像７４が作成される。これにより、利用者はジャック４４にヘッドホンやスピーカ等を接続して合成画像７４を見ながら音声を聴くことができる。
【００５４】
なお、本実施形態においては、画像７０とテンプレート７２の合成後に、メモリ３８（図３参照）に画像７０とテンプレート７２のデータが記憶されており、利用者は合成画像７４が気に入らない場合等に合成画像７４を元の画像７０とテンプレート７２を分離させて、再び表示させることができる。以下、合成画像７４を元の画像７０とテンプレート７２に分離する方法について、図１１を参照して説明する。図１１は、合成画像７４の分離方法を模式的に示す図である。図に示すように、表示部３０には、タイムトンネルアイコン８０が表示されている。
【００５５】
図１１（ａ）に示すように、富士山のテンプレート７２に人間の画像７０が合成された合成画像７４（図１０（ａ）参照）をドラッグして、タイムトンネルアイコン８０にドロップする。これにより、図１１（ｂ）に示すように、元の画像７０とテンプレート７２に分離されて、表示部３０に表示される。
【図面の簡単な説明】
【００５６】
【図１】本発明の一実施形態に係る画像処理装置を示すブロック図
【図２】本発明の一実施形態に係る画像表示テーブルを示す斜視図
【図３】本発明の一実施形態に係る画像表示テーブルの構成を示すブロック図
【図４】入出力部３２を拡大して示す斜視図
【図５】画像とテンプレートを合成する方法を模式的に示す図
【図６】画像とテンプレートを合成する方法を示すフローチャート
【図７】第２の合成条件により画像とテンプレートを合成する方法を模式的に示す図
【図８】第２の合成条件により画像とテンプレートを合成する方法を示すフローチャート
【図９】第３の合成条件により画像とテンプレートを合成する方法を模式的に示す図
【図１０】画像とテンプレートの合成画像の例を示す図
【図１１】合成画像７４の分離方法を模式的に示す図
【符号の説明】
【００５７】
１０…画像処理装置、１２…画像表示テーブル、１４…プリンタ、１６…店内システム、１８…サーバ、２０…ハブ、３０…表示部、３２…入出力部、３４…操作部、３６…ＣＰＵ、３８…メモリ、４０…通信Ｉ／Ｆ、５０…波紋状の表示、８０…タイムトンネルアイコン
【図１】
2006033605.tif 000003
【図２】
2006033605.tif 000004
【図３】
2006033605.tif 000005
【図４】
2006033605.tif 000006
【図５】
2006033605.tif 000007
【図６】
2006033605.tif 000008
【図７】
2006033605.tif 000009
【図８】
2006033605.tif 000010
【図９】
2006033605.tif 000011
【図１０】
2006033605.tif 000012
【図１１】
2006033605.tif 000013